(57)【要約】【課題】通話録音内容の制御動作に関わる操作負担を大幅に軽減する。【解決手段】複数の回線ボタン１２Ａからなる複数の回線ボタン群１２と、各回線ボタンに対応した回線名称を画面表示する回線名称表示部１３とを有するＣＳＤＢ２であって、起動コマンドを検出すると、録音済みの通話録音内容毎に回線ボタン群を対応付けて、この回線ボタン群の回線ボタン毎に同通話録音内容に関わる制御動作を指示するボタン内容を割当てるボタン制御部２５と、通話録音内容の識別情報を、この回線ボタン群に対応付けた回線名称表示部に画面表示させる画面表示制御部２６と、識別情報の画面表示中に、この通話録音内容に対応付けた回線ボタン群の回線ボタンのボタン操作を検出すると、この回線ボタンに割当てたボタン内容に基づき、通話録音内容に関わる制御動作を実行する通話内容録音制御部３０とを有している。【選択図】図４
2008135809.tif 000002
【特許請求の範囲】
【請求項１】
複数の回線ボタンからなる複数の回線ボタン群と、この回線ボタン群毎に対応付けて、同回線ボタン群の各回線ボタンに対応した回線名称を画面表示する回線名称表示手段と、前記回線ボタンのボタン操作を検出すると、この回線ボタンに対応したボタン内容に基づき、同回線ボタンに対応した回線名称の相手先端末との通話制御動作を実行する通話制御手段と、所定コマンドを出力するコマンド出力手段とを有する通話端末装置であって、
前記所定コマンドを検出すると、録音済みの通話録音内容毎に前記回線ボタン群を対応付けて、この回線ボタン群の回線ボタン毎に同通話録音内容に関わる制御動作を指示するボタン内容を割当てるボタン制御手段と、
前記回線ボタン群に対応付けた前記通話録音内容の識別情報を、この回線ボタン群の各回線ボタンに対応付けた前記回線名称表示手段に画面表示させる画面表示制御手段と、
前記回線名称表示手段による前記通話録音内容の識別情報の画面表示中に、この通話録音内容に対応付けた前記回線ボタン群の回線ボタンのボタン操作を検出すると、この回線ボタンに割当てたボタン内容に基づき、前記通話録音内容に関わる制御動作を実行する通話内容録音制御手段とを有することを特徴とする通話端末装置。
【請求項２】
前記通話制御手段は、
所定タイミングに応じて前記相手先端末との通話内容を前記通話録音内容として録音する通話録音手段を有することを特徴とする請求項１記載の通話端末装置。
【請求項３】
前記通話録音手段は、
前記相手先端末との通話開始から所定時間経過後を前記所定タイミングとして前記相手先端末との通話内容を前記通話録音内容として録音することを特徴とする請求項２記載の通話端末装置。
【請求項４】
前記通話録音内容の前記識別情報は、
この通話録音内容に関わる通話日時、通話相手先名称及び通話相手先電話番号の内、少なくとも何れか一の情報を含むことを特徴とする請求項１，２又は３記載の通話端末装置。
【請求項５】
前記通話録音内容に関わる制御動作を指示するボタン内容は、
通話録音内容を音声再生する再生動作、その音声再生を停止する停止動作、その通話録音内容を消去する削除動作及び、その通話録音内容の消去を防止する保護動作の内、少なくとも何れか一の制御動作を含むことを特徴する請求項１，２，３又は４記載の通話端末装置。
【請求項６】
正式パスワードを格納したパスワード格納手段と、パスワードを入力するパスワード入力手段とを有し、
前記コマンド出力手段は、
前記パスワード入力手段にてパスワードを入力すると、同パスワードが前記パスワード格納手段に格納中の正式パスワードと合致した場合にのみ、前記所定コマンドを出力することを特徴とする請求項１，２，３，４又は５記載の通話端末装置。
【発明の詳細な説明】
【技術分野】
【０００１】
本発明は、複数の回線ボタンと、この回線ボタン毎に回線名称を画面表示する回線名称表示部と、この回線ボタンのボタン操作を検出すると、同回線ボタンに対応した回線名称の相手先端末との通話制御動作を実行する通話制御部とを備えた、例えば銀行や証券会社等の現物・先物取引等に使用するディーリング通話台等の通話端末装置に関する。
【背景技術】
【０００２】
一般的に、ディーリング通話台を利用するディーラは、取引先である顧客との通話内容が重要であることから、その通話内容を録音したいという要望があった。
【０００３】
そこで、従来、ディーリング通話台に配置した外部録音出力端子を利用して、その通話内容を自動的に外部録音装置に録音する機能を備えたものが知られている。
【０００４】
このようなディーリング通話台によれば、外部録音出力端子を通じて通話内容を外部録音装置に録音し、ディーラは、外部録音装置に録音済みの通話内容を受聴することができる。
【０００５】
しかしながら、このようなディーリング通話台によれば、自分の通話内容に限らず、複数台のディーリング通話台の通話内容をも２４時間体制で外部録音装置に録音するようにしているため、自分の通話内容を受聴する場合でも、この外部録音装置の管理人に許可を取得しなければ、録音済みの通話内容を受聴することができない。
【０００６】
そこで、このような事態を解消すべく、出願人はディーリング通話台内部に自分の通話内容を録音する録音装置を内蔵し、録音装置に録音済みの通話録音内容を容易に受聴できるディーリング通話台を案出している（例えば特許文献１参照）。
【０００７】
この特許文献１のディーリング通話台によれば、内蔵型の録音装置に自分の通話内容を録音するようにしたので、ユーザは、録音済みの通話録音内容を簡単に受聴することができる。
【０００８】
また、特許文献１のディーリング通話台においては、内蔵型録音装置に自分の通話内容を複数録音した場合、録音済みの通話録音内容に対して、例えば音声再生、音声再生停止や消去等の制御動作を実行する機能ボタン（再生ボタン、停止ボタンや削除ボタン等）と、複数の通話録音内容から所望の通話録音内容を指定する指定ボタンとを有し、この指定ボタンにて複数の通話録音内容から所望の通話録音内容を指定した後、この指定した所望の通話録音内容に対しての機能ボタン操作による制御動作を実行することも想定できる。
【０００９】
このような特許文献１のディーリング通話台によれば、指定ボタンにて複数の通話録音内容から所望の通話録音内容を指定した後、この指定した所望の通話録音内容に対しての機能ボタン操作による制御動作を実行するようにしたので、ユーザは、指定ボタンで所望の通話録音内容を指定した後、例えば再生ボタンのボタン操作を実行すると、同通話録音内容に対して音声再生動作を実行することができる。
【特許文献１】特開平５−２７６２８１号公報（要約書及び図１参照）
【発明の開示】
【発明が解決しようとする課題】
【００１０】
しかしながら、上記従来のディーリング通話台等の通話端末装置によれば、所望の通話録音内容に対して再生等の所望の制御動作を実行する場合、録音済みの複数の通話録音内容から所望の通話録音内容を指定した後、所望の機能ボタンのボタン操作を検出すると、この指定した通話録音内容に対して機能ボタンに関わる制御動作を実行するようにしたが、所望の通話録音内容が複数ある場合は、その都度、所望の通話録音内容を指定する指定ボタンによる指定操作を実行しなければならず、通話録音内容の制御動作に関わる操作負担が非常に大きい。
【００１１】
本発明は上記点に鑑みてなされたものであり、その目的とするところは、所望の通話録音内容が複数あったとしても、各通話録音内容の制御動作に関わる操作負担を大幅に軽減することができる通話端末装置を提供することにある。
【課題を解決するための手段】
【００１２】
上記目的を達成するために本発明の通話端末装置は、複数の回線ボタンからなる複数の回線ボタン群と、この回線ボタン群毎に対応付けて、同回線ボタン群の各回線ボタンに対応した回線名称を画面表示する回線名称表示手段と、前記回線ボタンのボタン操作を検出すると、この回線ボタンに対応したボタン内容に基づき、同回線ボタンに対応した回線名称の相手先端末との通話制御動作を実行する通話制御手段と、所定コマンドを出力するコマンド出力手段とを有する通話端末装置であって、前記所定コマンドを検出すると、録音済みの通話録音内容毎に前記回線ボタン群を対応付けて、この回線ボタン群の回線ボタン毎に同通話録音内容に関わる制御動作を指示するボタン内容を割当てるボタン制御手段と、前記回線ボタン群に対応付けた前記通話録音内容の識別情報を、この回線ボタン群の各回線ボタンに対応付けた前記回線名称表示手段に画面表示させる画面表示制御手段と、前記回線名称表示手段による前記通話録音内容の識別情報の画面表示中に、この通話録音内容に対応付けた前記回線ボタン群の回線ボタンのボタン操作を検出すると、この回線ボタンに割当てたボタン内容に基づき、前記通話録音内容に関わる制御動作を実行する通話内容録音制御手段とを有するようにした。
【００１３】
従って、本発明の通話端末装置によれば、所定コマンドを検出すると、録音済みの通話録音内容毎に前記回線ボタン群を対応付け、この回線ボタン群の回線ボタン毎に同通話録音内容に関わる制御動作を指示するボタン内容を割当てると共に、この通話録音内容の識別情報を、同通話録音内容に関わる回線ボタン群の各回線ボタンに対応付けた前記回線名称表示手段に画面表示させ、前記回線名称表示手段による前記通話録音内容の識別情報の画面表示中に、この通話録音内容に対応付けた前記回線ボタン群の回線ボタンのボタン操作を検出すると、この回線ボタンに割当てたボタン内容に基づき、前記通話録音内容に関わる制御動作を実行するようにしたので、所望の通話録音内容が複数あったとしても、回線ボタン群の各回線ボタンに対応した回線名称表示手段に画面表示中の通話録音内容の識別情報を目視することで録音済み通話録音内容を識別することができ、さらには、通話録音内容の指定操作を実行することなく、同通話録音内容に対応した回線ボタン群の回線ボタンを使用して所望の制御動作を実行することができるため、通話録音内容の制御動作に関わる操作負担を大幅に軽減することができる。
【００１４】
また、本発明の通話端末装置は、前記通話制御手段が、所定タイミングに応じて前記相手先端末との通話内容を前記通話録音内容として録音する通話録音手段を有するようにした。
【００１５】
従って、本発明の通話端末装置によれば、所定タイミングに応じて前記相手先端末との通話内容を前記通話録音内容として録音するようにしたので、従来のような一括集中管理型の外部録音装置に録音するのではなく、内蔵した通話録音手段に録音することになるため、従来のような外部録音装置の管理者の許可を得なくても、自分の通話録音内容を簡単に受聴することができる。
【００１６】
また、本発明の通話端末装置は、前記通話録音手段が、前記相手先端末との通話開始から所定時間経過後を前記所定タイミングとして前記相手先端末との通話内容を前記通話録音内容として録音するようにした。
【００１７】
従って、本発明の通話端末装置によれば、一般的に通話開始直後は挨拶程度であまり重要な話をしないといった慣習に着目し、その通話開始から所定時間経過後に通話内容の録音を開始することで、通話内容を録音する録音メモリ領域の容量の節減を図ることができる。
【００１８】
また、本発明の通話端末装置は、前記通話録音内容の前記識別情報が、この通話録音内容に関わる通話日時、通話相手先名称及び通話相手先電話番号の内、少なくとも何れか一の情報を含むようにした。
【００１９】
従って、本発明の通話端末装置によれば、通話録音内容の識別情報として、この通話録音内容に関わる通話日時、通話相手先名称及び通話相手先電話番号の内、少なくとも何れか一の情報を、この通話録音内容に対応した回線名称表示手段に表示するようにしたので、ユーザは、表示中の識別情報を目視することで録音済みの通話録音内容を識別することができる。
【００２０】
また、本発明の通話端末装置は、前記通話録音内容に関わる制御動作を指示するボタン内容を、通話録音内容を音声再生する再生動作、その音声再生を停止する停止動作、その通話録音内容を消去する削除動作及び、その通話録音内容の消去を防止する保護動作の内、少なくとも何れか一の制御動作を含むようにした。
【００２１】
従って、本発明の通話端末装置によれば、通話録音内容に対応した回線ボタン群の回線ボタンに通話録音内容に関わる制御動作を指示するボタン内容、例えば再生ボタン、停止ボタン、削除ボタンや保護設定ボタン等のボタン内容を割当てるようにしたので、同通話録音内容に対応した回線ボタン群の回線ボタンを使用して所望の制御動作を実行することができるため、通話録音内容の制御動作に関わる操作負担を大幅に軽減することができる。
【００２２】
また、本発明の通話端末装置は、正式パスワードを格納したパスワード格納手段と、パスワードを入力するパスワード入力手段とを有し、前記コマンド出力手段は、前記パスワード入力手段にてパスワードを入力すると、同パスワードが前記パスワード格納手段に格納中の正式パスワードと合致した場合にのみ、前記所定コマンドを出力するようにした。
【００２３】
従って、本発明の通話端末装置によれば、入力パスワードが正式パスワードに合致した場合にのみ、通話録音内容に関わる制御動作を可能にした通話録音制御モードを起動する所定コマンドを出力するようにしたので、例えば第三者による通話録音制御モードの不正起動を防止してセキュリティの強化を図ることができる。
【発明の効果】
【００２４】
上記のように構成された本発明の通話端末装置によれば、所望の通話録音内容が複数あったとしても、回線ボタン群に対応した回線名称表示手段に画面表示中の通話録音内容の識別情報を目視することで録音済み通話録音内容を識別することができ、さらには通話録音内容の指定操作を実行することなく、同通話録音内容に対応した回線ボタン群の回線ボタンを使用して所望の制御動作を実行することができるため、通話録音内容の制御動作に関わる操作負担を大幅に軽減することができる。
【発明を実施するための最良の形態】
【００２５】
以下、図面に基づいて本発明の通話端末装置に関わる実施の形態を示すディーリング通話システムについて説明する。図１は本実施の形態を示すディーリング通話システム内部の概略構成を示すブロック図である。
【００２６】
図１に示すディーリング通話システム１は、複数のディーリング通話台（以下、単にＣＳＤＢと称する）２と、高速デジタル局線３Ａ及びアナログ局線３Ｂ等の局線３と、これら複数のＣＳＤＢ２及び局線３間を回線接続する回線制御装置（以下、単にＬＣＵと称する）４とを有し、ＬＣＵ４は、ＣＳＤＢ２との通信インタフェースを司る通話台用内線回路（以下、単にＤＢＤＬＩＮと称する）５と、高速デジタル回線３Ａとの通信インタフェースを司る高速デジタル局線用インタフェース（以下、単にＰＲＩＡと称する）６と、アナログ局線３Ｂとの通信インタフェースを司る局線トランク（以下、単にＣＯＴと称する）７と、ＤＢＤＬＩＮ５、ＰＲＩＡ６及びＣＯＴ７間の通話路を形成する通話路スイッチ８と、このＬＣＵ４に関わる様々なプログラムや局番号を格納する記憶部（以下、単にＭＭと称する）９と、このＬＣＵ４全体を制御する中央制御部（以下、単にＣＣと称する）１０とを有している。
【００２７】
図２はＣＳＤＢ２の盤面を示す説明図である。
【００２８】
図２に示すＣＳＤＢ２は、様々なコマンドや数字を入力する操作部１１と、複数の回線ボタン１２Ａを収容する複数の回線ボタン群１２と、この回線ボタン群１２に収容する各回線ボタン１２Ａに対応した回線名称を画面表示する回線名称表示部１３と、回線ボタン１２Ａ毎に配置し、同回線ボタン１２Ａに対応した回線名称の回線状態を表示するＬＥＤ１４とを有し、通常モード時は、回線ボタン１２Ａのボタン操作に応じて、同回線ボタン１２Ａに対応した回線名称の相手先端末との通話や切断等の通話制御動作を実行するものである。尚、通常モードとは、回線ボタン群１２の全回線ボタン１２Ａの回線名称を、この回線ボタン群１２の各回線ボタン１２Ａに対応した回線名称表示部１３に画面表示すると共に、回線ボタン１２Ａ毎に同回線名称の相手先端末との回線制御機能のボタン内容を割当てたモードに相当するものである。
【００２９】
ＣＳＤＢ２は、通常モードでの着信待受中に、例えば回線名称“銀行Ｄ”に対応した回線ボタン１２Ａのボタン操作を検出すると、この“銀行Ｄ”の相手先端末への発信動作を実行し、この回線ボタン１２Ａに対応したＬＥＤ１４を青色点灯するものである。
【００３０】
また、ＣＳＤＢ２は、通常モードでの着信待受中に、例えば回線名称“銀行Ｄ”の相手先端末からの着信を検出すると、この回線名称“銀行Ｄ”の回線ボタン１２Ａに対応するＬＥＤ１４を赤色点滅すると共に、この赤色点滅中のＬＥＤ１４に対応する回線ボタン１２Ａのボタン操作を検出すると、同回線ボタン１２Ａに対応する回線名称“銀行Ｄ”の相手先端末からの着信に対する応答動作を実行し、この回線ボタン１２Ａに対応するＬＥＤ１４を赤色点灯するものである。
【００３１】
図３は同盤面の要部である回線ボタン群１２及び回線名称表示部１３の対応関係を端的に示す説明図である。
【００３２】
各回線ボタン群１２には回線ボタン群番号が付与され、各回線ボタン群１２には、例えば７個の回線ボタン１２Ａを収容し、各回線ボタン１２Ａには回線ボタン番号が付与されているものとする。
【００３３】
図３に示すように、例えば回線ボタン群番号“Ａ”の回線ボタン群１２には、回線ボタン番号“００１”〜“００７”の回線ボタン１２Ａを収容し、例えば回線ボタン群番号“Ｅ”の回線ボタン群１２には回線ボタン番号“０２９”〜“０３５”の回線ボタン１２Ａを収容するものである。
【００３４】
また、ＣＳＤＢ２は、回線ボタン群１２毎に回線名称表示部１３を配置し、回線名称表示部１３は、回線ボタン群１２内の回線ボタン１２Ａ毎に、同回線ボタン１２Ａに対応した回線名称を分割画面表示するものである。すなわち、回線ボタン群番号“Ａ”の回線ボタン群１２に対応する回線名称表示部１３は、同回線ボタン番号“００１”〜“００７”まで合計７個分の回線ボタン１２Ａに対応する回線名称を画面表示するものである。
【００３５】
図４はＣＳＤＢ２内部の概略構成を示すブロック図である。
【００３６】
図４に示すＣＳＤＢ２は、ハンドセット２１及びスピーカ２２と、ＤＢＤＬＩＮ５との通信インタフェース２３と、操作部１１内の各種ボタンや、回線ボタン群１２の回線ボタン１２Ａのボタン操作を監視するボタン操作監視部２４と、後述する回線ボタン群１２の回線ボタン１２Ａのボタン内容を通話録音内容に関わる機能ボタンに割当制御するボタン制御部２５と、各回線名称表示部１３の画面表示を制御する画面表示制御部２６と、回線ボタン群１２の回線ボタン１２Ａに対応したＬＥＤ１４を駆動制御するＬＥＤ制御部２７と、通信インタフェース２３を通じて通話制御する通話制御部２８と、通話制御部２８を通じて通話内容を通話録音内容として録音する通話録音メモリ部２９と、この通話録音メモリ部２９を制御する通話内容録音制御部３０と、このＣＳＤＢ２に関わる各種プログラムを格納したメモリ部３１と、このＣＳＤＢ２全体を制御する制御部３２と、これらハンドセット２１、スピーカ２２、ボタン操作監視部２４、ボタン制御部２５、画面表示制御部２６、ＬＥＤ制御部２７，通話制御部２８、通話録音メモリ部２９、通話内容録音制御部３０、メモリ部３１及び制御部３２間でデータを送受信するバス３３とを有している。
【００３７】
通話内容録音制御部３０は、相手先端末との通話内容を通話録音メモリ部２９に録音するものであるが、その録音開始タイミングとして、通話開始と同時に通話内容の録音を自動的に開始する通常自動録音モードと、通話開始から所定時間経過後に通話内容の録音を自動的に開始するタイマ自動録音モードと、図示せぬ録音ボタンのボタン操作に応じて通話内容の録音を開始するマニュアル録音モードとがある。尚、ＣＳＤＢ２は、図示せぬ録音モード設定部を通じて通常自動録音モード、タイマ自動録音モード及びマニュアル録音モードの何れかを設定するものである。
【００３８】
また、通話録音メモリ部２９は、複数の録音メモリ領域４１を備え、録音メモリ領域４１毎に録音メモリ領域番号を付与し、この録音メモリ領域４１毎に通話録音内容を録音するものである。
【００３９】
また、制御部３２は、通常モード又は通話録音制御モードに切替設定可能なモード設定部３２Ａと、通話録音制御モードを設定起動する起動コマンドや、通話録音制御モードを終了するための終了コマンドを出力するコマンド出力部３２Ｂとを有している。
【００４０】
尚、通常モードは、回線ボタン群１２の回線ボタン１２Ａのボタン内容を回線制御機能に割当て、回線ボタン群１２に対応する回線名称表示部１３に同回線ボタン群１２の全回線ボタン１２Ａの回線名称を画面表示するモードに相当するものである。
【００４１】
通話録音制御モードは、通話録音内容に関わる制御動作を指示するボタン内容を同通話録音内容に対応した回線ボタン群１２の回線ボタン１２Ａに割り当て、この回線ボタン１２Ａに対応する回線名称表示部１３に同回線ボタン群１２に対応した通話録音内容に関わる情報を画面表示するモードに相当するものである。
【００４２】
メモリ部３１は、回線ボタン群１２に収容する各回線ボタン１２Ａのボタン内容を管理するボタン内容管理テーブル５１と、回線ボタン群１２に対応した回線名称表示部１３の各回線ボタン１２Ａに対応した表示内容を管理する表示内容管理テーブル５２と、後述する通話録音メモリ部２９内の録音メモリ領域４１及び回線ボタン群１２を対応付けて録音状況等を管理する録音内容管理テーブル５３と、第三者による通話録音制御モードの不正起動を防止するセキュリティ用の正式パスワードを格納したパスワード格納部５４とを有している。
【００４３】
また、通話内容録音制御部３０は、通話録音メモリ部２９に通話録音内容を録音した場合、この通話録音内容を識別する識別情報を録音内容管理テーブル５２に記憶するものである。尚、識別情報とは、例えば通話録音内容に関わる通話日時、通話相手先名称及び通話相手先電話番号で構成するものである。
【００４４】
図５はボタン内容管理テーブル５１のテーブル内容を端的に示す説明図である。
【００４５】
図５に示すボタン内容管理テーブル５１は、回線ボタン群１２に収容する回線ボタン１２Ａ毎に、同回線ボタン１２Ａを収容する回線ボタン群１２を識別する回線ボタン群番号５１Ａと、同回線ボタン１２Ａを識別する回線ボタン番号５１Ｂと、同回線ボタン１２Ａに対応するボタン内容５１Ｃとを管理し、ボタン内容５１Ｃは、通常モード時に同回線ボタン１２Ａに割当てるボタン内容と、通話録音制御モード時に同回線ボタン１２Ａに割当てるボタン内容とを管理している。尚、例えば回線ボタン番号“００２”の回線ボタン１２Ａのボタン内容は、通常モード時は“銀行Ｂ”の回線制御機能、通話録音制御モード時は回線ボタン群番号“Ａ”の回線ボタン群１２Ａに対応した通話録音内容に関わる音声再生機能“再生ボタン”に相当するものである。
【００４６】
図６は表示内容管理テーブル５２のテーブル内容を端的に示す説明図である。
【００４７】
図６に示す表示内容管理テーブル５２は、回線ボタン群１２に収容する回線ボタン１２Ａ毎に、同回線ボタン１２Ａを収容する回線ボタン群１２を識別する回線ボタン群番号５２Ａと、同回線ボタン１２Ａを識別する回線ボタン番号５２Ｂと、同回線ボタン１２Ａに対応する回線名称表示部１３の表示内容５２Ｃとを管理し、表示内容５２Ｃは、通常モード時に同回線ボタン１２Ａに対応した表示領域に表示する表示内容と、通話録音制御モード時に同回線ボタン１２Ａに対応した表示領域に表示する表示内容とを管理している。
【００４８】
尚、例えば回線ボタン番号“００２”の回線ボタン１２Ａに対応する回線名称表示部１３の表示領域の表示内容は、通常モード時は回線ボタン１２Ａに対応した回線名称“銀行Ｂ”、通話録音制御モード時は回線ボタン群番号“Ａ”の回線ボタン群１２に対応した通話録音内容に関わる識別情報の一部及び機能名称“再生”に相当するものである。
【００４９】
すなわち、回線名称表示部１３は、通常モード時は同回線名称表示部１３に対応した回線ボタン群１２の全回線ボタン１２Ａに対応した７個分の回線名称を画面表示し、通話録音制御モード時は同回線名称表示部１３の回線ボタン群１２に対応した通話録音内容に関わる識別情報及び回線ボタン毎の機能名称を併せて画面表示するものである。
【００５０】
図７は録音内容管理テーブル５３のテーブル内容を端的に示す説明図である。
【００５１】
図７に示す録音内容管理テーブル５３は、録音メモリ領域４１及び回線ボタン群１２を対応付け、録音メモリ領域４１を識別する録音メモリ領域番号５３Ａと、回線ボタン群１２を識別する回線ボタン群番号５３Ｂと、同録音メモリ領域４１に通話録音内容が録音済みであるか否かを示す録音状況５３Ｃと、同録音メモリ領域４１に録音済みの通話録音内容の動作状況５３Ｄと、同録音メモリ領域４１に録音済みの通話録音内容の消去防止の保護設定状況５３Ｅと、同録音メモリ領域４１に録音済みの通話録音内容に関わる識別情報５３Ｆとを管理している。尚、例えば録音メモリ領域番号“Ａ”の録音メモリ領域４１に録音済みの通話録音内容は、回線ボタン群番号“Ａ”の回線ボタン群１２に対応し、現在の動作状況５３Ｄは再生中、保護設定状況５３Ｅは保護設定済み、識別情報５３Ｆは“○○○”であることが認識できるものである。
【００５２】
また、録音内容管理テーブル５３で管理中の通話録音内容の識別情報は、表示内容管理テーブル５２の通話録音制御モード時の表示内容５２Ｃに画面情報として格納するものである。
【００５３】
尚、請求項記載の通話端末装置はＣＳＤＢ２、回線ボタン群は回線ボタン群１２、回線ボタンは回線ボタン１２Ａ、回線名称表示手段は回線名称表示部１３、通話制御手段は通話制御部２８、ボタン制御手段はボタン制御部２５及び通話内容録音制御部３０、画面表示制御手段は画面表示制御部２６及び通話内容録音制御部３０、通話内容録音制御手段は通話内容録音制御部３０、通話録音手段は通話録音メモリ部２９及び通話内容録音制御部３０、パスワード格納手段はパスワード格納部５４、パスワード入力手段は操作部１１、コマンド出力手段はコマンド出力部３２Ｂに相当するものである。
【００５４】
次に本実施の形態を示すＣＳＤＢ２の動作について説明する。図８は通話録音開始処理に関わるＣＳＤＢ２内部の通話内容録音制御部３０の処理動作を示すフローチャートである。
【００５５】
図８に示す通話録音開始処理は、相手先端末との通話内容を通話録音内容として通話録音メモリ部２９の録音メモリ領域４１に録音するための処理である。
【００５６】
ＣＳＤＢ２内部の通話内容録音制御部３０は、通話制御部２８を通じて相手先端末との通話を開始したか否かを判定する（ステップＳ１１）。
【００５７】
通話内容録音制御部３０は、相手先端末との通話を開始したのであれば、通常自動録音モード中であるか否かを判定する（ステップＳ１２）。
【００５８】
通話内容録音制御部３０は、通常自動録音モード中であると判定されると、通話開始と同時に通話内容を通話録音内容として通話録音メモリ部２９の録音メモリ領域４１に録音する通話録音動作を開始し（ステップ１３）、その結果、通話開始からの通話内容を通話録音内容として録音メモリ領域４１に録音した後、表示内容管理テーブル５２の表示内容５２Ｃ及び録音内容管理テーブル５３のテーブル内容を更新し、この処理動作を終了する。
【００５９】
また、通話内容録音制御部３０は、ステップＳ１２にて通常自動録音モード中でないと判定されると、タイマ自動録音モード中であるか否かを判定する（ステップＳ１４）。
【００６０】
通話内容録音制御部３０は、タイマ自動録音モード中であると判定されると、所定時間タイマ動作を開始し（ステップＳ１５）。この所定時間タイマがタイムアップしたか否かを判定する（ステップＳ１６）。
【００６１】
通話内容録音制御部３０は、所定時間タイマがタイムアップしたのであれば、通話開始から所定時間を経過したものと判断し、その通話内容の録音動作を開始すべく、ステップＳ１３に移行する。その結果、通話内容録音制御部３０は、通話開始から所定時間経過後の通話内容を通話録音内容として録音メモリ領域４１に録音し、その表示内容管理テーブル５２の表示内容５２Ｃ及び録音内容管理テーブル５３のテーブル内容を更新するものである。
【００６２】
また、通話内容録音制御部３０は、ステップＳ１６にて所定時間タイマがタイムアップしたのでなければ、通話制御部２８を通じて相手先端末との通話中であるか否かを判定する（ステップＳ１７）。
【００６３】
通話内容録音制御部３０は、相手先端末と通話中であると判定されると、所定時間タイマがタイムアップしたか否かを判定すべく、ステップＳ１６に移行する。
【００６４】
また、通話内容録音制御部３０は、ステップＳ１７にて相手先端末と通話中でないと判定されると、この処理動作を終了する。
【００６５】
また、通話内容録音制御部３０は、ステップＳ１４にてタイマ自動録音モード中でないと判定されると、通常のマニュアル録音モードであると判定し、録音ボタンのボタン操作を検出したか否かを判定する（ステップＳ１８）。
【００６６】
通話内容録音制御部３０は、ステップＳ１８にて録音ボタンのボタン操作を検出したと判定されると、その通話内容を通話録音内容として通話録音メモリ部２９の録音メモリ領域４１に録音する録音動作を開始すべく、図中のＭ１に移行する。その結果、通話内容録音制御部３０は、録音ボタンのボタン操作後の通話内容を通話録音内容として録音メモリ領域４１に録音し、その表示内容管理テーブル５２の表示内容５２Ｃ及び録音内容管理テーブル５３のテーブル内容を更新するものである。
【００６７】
通話内容録音制御部３０は、ステップＳ１８にて録音ボタンのボタン操作を検出したのでなければ、通話制御部２８を通じて相手先端末との通話中であるか否かを判定する（ステップＳ１９）。
【００６８】
通話内容録音制御部３０は、相手先端末との通話中であると判定されると、録音ボタンのボタン操作を検出したか否かを監視すべく、ステップＳ１８に移行する。
【００６９】
また、通話内容録音制御部３０は、ステップＳ１９にて相手先端末との通話中でないと判定されると、この処理動作を終了する。
【００７０】
図８に示す通話録音開始処理によれば、通常自動録音モード中は相手先端末との通話開始と同時に通話内容の録音を開始し、この通話内容を通話録音内容として通話録音メモリ部２９に録音するようにしたので、特別な操作を要することなく、相手先端末との通話内容を通話開始から録音することができる。
【００７１】
また、通話録音開始処理によれば、タイマ自動録音モード中は相手先端末との通話開始から所定時間経過後に通話内容の録音を開始し、この通話内容を通話録音内容として通話録音メモリ部２９に録音するようにしたので、一般的に通話開始直後は挨拶程度であまり重要な話をしないといった慣習に着目したことで通話録音メモリ部２９のメモリ容量の節減を図ることができる。
【００７２】
また、通話録音開始処理によれば、マニュアル録音モード中に録音ボタンのボタン操作を検出すると、このボタン操作検出後の通話内容の録音を開始し、この通話内容を通話録音内容として通話録音メモリ部２９に録音するようにしたので、ユーザ側の任意操作で通話内容を録音することができる。
【００７３】
次に通話録音制御モードを起動するための起動コマンド処理について説明する。図９は起動コマンド処理に関わるＣＳＤＢ２の制御部３２内部の処理動作を示すフローチャートである。
【００７４】
図９に示す起動コマンド処理は、通常モードから通話録音制御モードを起動するための処理である。
【００７５】
図９においてＣＳＤＢ２の制御部３２は、ボタン操作監視部２４を通じて起動ボタンのボタン操作を検出したか否かを判定する（ステップＳ２１）。制御部３２は、起動ボタンのボタン操作を検出したのであれば、パスワード設定があるか否かを判定する（ステップＳ２２）。尚、パスワード設定の有無は、パスワード格納部５４の正式パスワードの有無に基づき判断し、例えば正式パスワードがある場合にはパスワード設定ありと判断するものである。
【００７６】
制御部３２は、ステップＳ２２にてパスワード設定ありと判断されると、画面表示制御部２６を通じて、図１０に示すようにパスワード入力画面１０１を画面表示し（ステップＳ２３）、ボタン操作監視部２４を通じてパスワードの入力を監視し（ステップＳ２４）、入力パスワードがパスワード格納部５４に格納中の正式パスワードに合致したか否かを判定する（ステップＳ２５）。
【００７７】
制御部３２のコマンド出力部３２Ｂは、入力パスワードが正式パスワードに合致した場合、通話録音制御モードを起動するための起動コマンドを出力して（ステップＳ２６）、この処理動作を終了する。
【００７８】
制御部３２は、ステップＳ２１にて起動ボタンのボタン操作を検出したのでなければ、この処理動作を終了する。
【００７９】
制御部３２は、ステップＳ２２にてパスワード設定ありと判定されなければ、パスワード照合を実行せず、通話録音制御モードを起動するための起動コマンドを出力すべく、ステップＳ２６に移行する。
【００８０】
制御部３２は、ステップＳ２５にて入力パスワードが正式パスワードに合致したのでなければ、入力パスワードが間違っている旨を報知して、この処理動作を終了する。
【００８１】
図９に示す起動コマンド処理によれば、起動ボタンのボタン操作を検出すると、パスワード入力を促し、この入力パスワードが正式パスワードに合致した場合にのみ、通話録音制御モードを起動する起動コマンドを出力するようにしたので、第三者による通話録音制御モードの不正起動を確実に防止してセキュリティの強化を図ることができる。
【００８２】
次に通常モード又は通話録音制御モードに移行するためのモード設定処理について説明する。図１１はモード設定処理に関わる制御部３２及び通話内容録音制御部３０の処理動作を示すフローチャートである。
【００８３】
図１１に示すモード設定処理は、通常モード又は通話録音制御モードに切替設定するための処理である。
【００８４】
図１１においてＣＳＤＢ２内部の通話内容録音制御部３０は、起動コマンドを検出したか否かを判定する（ステップＳ３１）。
【００８５】
通話内容録音制御部３０は、起動コマンドを検出したのであれば、ボタン制御部２５を通じてボタン内容管理テーブル５１のボタン内容５１Ｃを、通話録音制御モードの通話録音内容に関わるボタン内容に設定する（ステップＳ３２）。尚、各回線ボタン群１２の回線ボタン１２Ａ毎に通話録音内容に関わるボタン内容が設定されたことになる。
【００８６】
通話内容録音制御部３０は、画面表示制御部２６を通じて表示内容管理テーブル５２の表示内容５２Ｃを、通話録音制御モードの通話録音内容に関わる表示内容に設定する（ステップＳ３３）。尚、各回線ボタン群１２に対応した回線名称表示部１３に、図１２に示すように通話録音内容に関わる識別情報等を画面表示するものである。
【００８７】
その結果、制御部３２のモード設定部３２Ａは、通話録音制御モードに設定したことになる（ステップＳ３４）。尚、ユーザは、図１２に示すように回線名称表示部１３の表示内容を目視することで“証券会社ＡＢＣ”、“銀行Ｂ”及び“（株）ＡＢＣＤＥＦ”の合計３件の通話録音内容が録音されていることを認識することができる。
【００８８】
通話内容録音制御部３０は、終了コマンドを検出したか否かを判定する（ステップＳ３５）。尚、終了コマンドは、通話録音制御モード中に起動ボタンのボタン操作を検出すると、制御部３２内のコマンド出力部３２Ｂを通じて出力されるものである。
【００８９】
通話内容録音制御部３０は、終了コマンドを検出したのであれば、現在設定中の通話録音制御モードから通常モードに設定すべく、ボタン制御部２５を通じてボタン内容管理テーブル５１のボタン内容５１Ｃを、通常モードの回線制御機能に関わるボタン内容に設定する（ステップＳ３６）。尚、各回線ボタン群１２の回線ボタン１２Ａ毎に回線制御機能に関わるボタン内容が設定されたことになる。
【００９０】
通話内容録音制御部３０は、画面表示制御部２６を通じて表示内容管理テーブル５２の表示内容５２Ｃを、通常モードの回線名称に関わる表示内容に設定する（ステップＳ３７）。尚、各回線ボタン群１２に対応した回線名称表示部１３には、同回線ボタン１２Ａに対応した表示領域に同回線ボタン１２Ａに対応した回線名称を画面表示するものである。
【００９１】
その結果、制御部３２のモード設定部３２Ａは、通常モードに設定し（ステップＳ３８）、この処理動作を終了する。尚、ユーザは、図２に示すように、所望の回線名称に対応した回線ボタン１２Ａのボタン操作で同回線名称の相手先端末との通話制御を実行することができる。
【００９２】
また、通話内容録音制御部３０は、ステップＳ３１にて起動コマンドを検出したのでなければ、終了コマンドを検出したか否かを判定すべく、ステップＳ３５に移行する。
【００９３】
また、通話内容録音制御部３０は、ステップＳ３５にて終了コマンドを検出したのでなければ、この処理動作を終了する。
【００９４】
図１１に示すモード設定処理によれば、起動コマンドを検出すると、ボタン内容管理テーブル５１のボタン内容５１Ｃを通話録音制御モードのボタン内容、表示内容管理テーブル５２の表示内容５２Ｃを通話録音制御モードのボタン内容に設定し、その結果、通話録音制御モードに設定するようにしたので、ユーザは、回線名称表示部１３の表示内容を目視することで録音済みの通話録音内容を認識することができる。
【００９５】
また、モード設定処理によれば、通話録音制御モード中に終了コマンドを検出すると、ボタン内容管理テーブル５１のボタン内容５１Ｃを通常モードのボタン内容、表示内容管理テーブルの表示内容５２Ｃを通常モードのボタン内容に設定し、その結果、通常モードに設定するようにしたので、ユーザは、所望の回線名称に対応した回線ボタン１２Ａのボタン操作で同回線名称の相手先端末との通話制御を実行することができる。
【００９６】
次に通話録音制御モード時の回線ボタン１２Ａのボタン操作について説明する。図１３乃至図１５はボタン制御処理に関わる通話内容録音制御部３０の処理動作を示すフローチャートである。
【００９７】
図１３乃至図１５に示すボタン制御処理は、通話録音制御モード時の回線ボタン１２Ａのボタン操作に応じて通話録音内容に関わる制御動作、例えば音声再生、音声再生停止、録音済み通話録音内容の消去、同消去の防止等の各種制御動作を実行するための処理である。
【００９８】
図１３において通話内容録音制御部３０は、通話録音制御モード中に、ボタン操作監視部２４を通じて回線ボタン１２Ａのボタン操作を検出したか否かを判定する（ステップＳ４１）。
【００９９】
通話内容録音制御部３０は、回線ボタン１２Ａのボタン操作を検出したと判定されると、録音内容管理テーブル５３のテーブル内容に基づき、同回線ボタン１２Ａの回線ボタン群１２に対応した録音メモリ領域４１を決定する（ステップＳ４２）。尚、回線ボタン群１２の回線ボタン群番号５３Ｂに対応した録音メモリ領域番号５３Ａの録音メモリ領域４１を決定することになる。
【０１００】
通話内容録音制御部３０は、同回線ボタン１２Ａの回線ボタン群１２に対応した録音メモリ領域４１を決定すると、ボタン内容管理テーブル５１のボタン内容５１Ｃに基づき、ステップＳ４１のボタン操作の回線ボタン１２Ａのボタン内容が保護設定、すなわちボタン操作に関わる回線ボタン１２Ａは保護設定ボタンであるか否かを判定する（ステップＳ４３）。
【０１０１】
通話内容録音制御部３０は、同回線ボタン１２Ａが保護設定ボタンであると判定されると、録音内容管理テーブル５３の録音状況５３Ｃに基づき、ステップＳ４２にて決定した録音メモリ領域４１に録音済みの通話録音内容があるか否かを判定する（ステップＳ４４）。
【０１０２】
通話内容録音制御部３０は、録音メモリ領域４１に録音済みの通話録音内容があると判定されると、録音内容管理テーブル５３の動作状況５３Ｄに基づき、同通話録音内容が音声再生停止中であるか否かを判定する（ステップＳ４５）。
【０１０３】
通話内容録音制御部３０は、同通話録音内容が音声再生停止中であると判定されると、録音内容管理テーブル５３の保護設定状況５３Ｅに基づき、この通話録音内容が保護設定済みであるか否かを判定する（ステップＳ４６）。
【０１０４】
通話内容録音制御部３０は、同通話録音内容が保護設定済みでないと判定されると、同録音メモリ領域４１に録音済みの通話録音内容を消去できないように保護設定し（ステップＳ４７）、録音内容管理テーブル５３の同録音メモリ領域４１に対応した保護設定状況５３Ｅを設定済みに更新し、この処理動作を終了する。
【０１０５】
また、通話内容録音制御部３０は、ステップＳ４６にて同録音メモリ領域４１に録音済みの通話録音内容が保護設定済みであると判定されると、同録音メモリ領域４１に録音済みの通話録音内容の保護設定を解除し（ステップＳ４８）、録音内容管理テーブル５３の同録音メモリ領域４１に対応した保護設定状況５３Ｅを設定なしに更新し、この処理動作を終了する。
【０１０６】
通話内容録音制御部３０は、ステップＳ４１にて回線ボタン１２Ａのボタン操作を検出したのでなければ、この処理動作を終了する。
【０１０７】
また、通話内容録音制御部３０は、ステップＳ４４にて録音メモリ領域４１に通話録音内容が録音済みでないと判定されると、又はステップＳ４５にて同通話録音内容が音声再生停止中でないと判定されると、この処理動作を終了する。
【０１０８】
また、通話内容録音制御部３０は、ステップＳ４３にてボタン操作の回線ボタン１２Ａが保護設定ボタンでないと判定されると、図１４に示すＭ２に移行する。
【０１０９】
図１４に示すＭ２において通話内容録音制御部３０は、ステップＳ４２にて同回線ボタン１２Ａの回線ボタン群１２に対応した録音メモリ領域４１を決定すると、ボタン内容管理テーブル５１のボタン内容５１Ｃに基づき、ステップＳ４１にてボタン操作の回線ボタン１２Ａのボタン内容が音声再生、すなわちボタン操作に関わる回線ボタンは再生ボタンであるか否かを判定する（ステップＳ５１）。
【０１１０】
通話内容録音制御部３０は、同回線ボタン１２Ａが再生ボタンであると判定されると、録音内容管理テーブル５３の録音状況５３Ｃに基づき、ステップＳ４２にて決定した録音メモリ領域４１に録音済みの通話録音内容があるか否かを判定する（ステップＳ５２）。
【０１１１】
通話内容録音制御部３０は、録音メモリ領域４１に録音済みの通話録音内容があると判定されると、録音内容管理テーブル５３の動作状況５３Ｄに基づき、同通話録音内容が音声再生停止中であるか否かを判定する（ステップＳ５３）。
【０１１２】
通話内容録音制御部３０は、同通話録音内容が音声再生停止中であると判定されると、この通話録音内容の音声再生動作を開始し（ステップＳ５４）、録音内容管理テーブル５３の動作状況５３Ｄを再生に設定更新し、この処理動作を終了する。
【０１１３】
また、通話内容録音制御部３０は、ステップＳ５２にて録音メモリ領域４１に通話録音内容が録音済みでないと判定されると、又はステップＳ５３にて同通話録音内容が音声再生停止中でないと判定されると、この処理動作を終了する。
【０１１４】
また、通話内容録音制御部３０は、ステップＳ５１にて回線ボタン１２が再生ボタンでないと判定されると、ボタン内容管理テーブル５１のボタン内容５１Ｃに基づき、ステップＳ４１のボタン操作の回線ボタン１２Ａのボタン内容が音声再生停止、すなわちボタン操作に関わる回線ボタン１２Ａは停止ボタンであるか否かを判定する（ステップＳ５５）。
【０１１５】
通話内容録音制御部３０は、同回線ボタン１２Ａが停止ボタンであると判定されると、録音内容管理テーブル５３の録音状況５３Ｃに基づき、ステップＳ４２にて決定した録音メモリ領域４１に録音済みの通話録音内容があるか否かを判定する（ステップＳ５６）。
【０１１６】
通話内容録音制御部３０は、録音メモリ領域４１に録音済みの通話録音内容があると判定されると、録音内容管理テーブル５３の動作状況５３Ｄに基づき、同通話録音内容が音声再生中であるか否かを判定する（ステップＳ５７）。
【０１１７】
通話内容録音制御部３０は、同通話録音内容が音声再生中であると判定されると、この通話録音内容の音声再生動作を停止し（ステップＳ５８）、録音内容管理テーブル５３の動作状況５３Ｄを停止に設定更新し、この処理動作を終了する。
【０１１８】
また、通話内容録音制御部３０は、ステップＳ５６にて録音メモリ領域４１に通話録音内容が録音済みでないと判定されると、又はステップＳ５７にて同通話録音内容が音声再生中でないと判定されると、この処理動作を終了する。
【０１１９】
また、通話内容録音制御部３０は、ステップＳ５５にてボタン操作の回線ボタン１２Ａが停止ボタンでないと判定されると、図１５に示すＭ３に移行する。
【０１２０】
図１５に示すＭ３において通話内容録音制御部３０は、ボタン内容管理テーブル５１のボタン内容５１Ｃに基づき、ステップＳ４１にてボタン操作の回線ボタン１２Ａのボタン内容が録音消去、すなわちボタン操作に関わる回線ボタン１２Ａは削除ボタンであるか否かを判定する（ステップＳ６１）。
【０１２１】
通話内容録音制御部３０は、同回線ボタン１２Ａが削除ボタンであると判定されると、録音内容管理テーブル５３の録音状況５３Ｃに基づき、ステップＳ４２にて決定した録音メモリ領域４１に録音済みの通話録音内容があるか否かを判定する（ステップＳ６２）。
【０１２２】
通話内容録音制御部３０は、録音メモリ領域４１に録音済みの通話録音内容があると判定されると、録音内容管理テーブル５３の動作状況５３Ｄに基づき、同通話録音内容が音声再生停止中であるか否かを判定する（ステップＳ６３）。
【０１２３】
通話内容録音制御部３０は、同通話録音内容が音声再生停止中であると判定されると、録音内容管理テーブル５３の保護設定状況５３Ｅに基づき、この通話録音内容が保護設定済みであるか否かを判定する（ステップＳ６４）。
【０１２４】
通話内容録音制御部３０は、同通話録音内容が保護設定済みでないと判定されると、同録音メモリ領域４１に録音済みの通話録音内容を消去し（ステップＳ６５）、録音内容管理テーブル５３の録音状況５３Ｃをなし、動作状況５３Ｄをなし、保護設定状況５３Ｅをなし、識別情報５３Ｆをなしに設定更新し、この処理動作を終了する。尚、表示内容管理テーブル５２は、この通話録音内容に対応する回線ボタン群１２の通話録音制御モード時の表示内容（識別情報）も消去することになる。
【０１２５】
また、通話内容録音制御部３０は、ステップＳ６１にてボタン操作の回線ボタン１２Ａが削除ボタンでないと判定されると、ステップＳ６２にて録音メモリ領域４１に通話録音内容が録音済みでないと判定されると、ステップＳ６３にて同通話録音内容が音声再生停止中でないと判定されると、この処理動作を終了する。
【０１２６】
また、通話内容録音制御部３０は、ステップＳ６４にて通話録音内容が保護設定済みであると判定されると、この通話録音内容を消去することなく、この処理動作を終了する。
【０１２７】
ボタン制御処理によれば、通話録音制御モード中に保護設定ボタンに相当する回線ボタン１２Ａのボタン操作を検出すると、この回線ボタン１２Ａの回線ボタン群１２に対応する録音メモリ領域４１に録音済みの通話録音内容が保護設定済みであるか否かを判定し、通話録音内容が保護設定済みであると判定されると、この通話録音内容の保護設定を解除すると共に、通話録音内容が保護設定済みでないと判定されると、この通話録音内容を保護設定するようにしたので、ユーザは、同通話録音内容に対応した回線ボタン群１２の回線ボタン１２Ａを使用して保護設定の制御動作を実行することができるため、通話録音内容の保護設定に関わる操作負担を大幅に軽減することができる。
【０１２８】
また、ボタン制御処理によれば、通話録音制御モード中に再生ボタンに相当する回線ボタン１２Ａのボタン操作を検出すると、この回線ボタン１２Ａの回線ボタン群１２に対応する録音メモリ領域４１に録音済みの通話録音内容が再生停止中の場合は同通話録音内容を音声再生するようにしたので、ユーザは、通話録音内容に対応した回線ボタン群１２の回線ボタン１２Ａを使用して音声再生の制御動作を実行することができるため、通話録音内容の音声再生に関わる操作負担を大幅に軽減することができる。
【０１２９】
また、ボタン制御処理によれば、通話録音制御モード中に停止ボタンに相当する回線ボタン１２Ａのボタン操作を検出すると、この回線ボタン１２Ａの回線ボタン群１２に対応する録音メモリ領域４１に録音済みの通話録音内容が音声再生中の場合は同通話録音内容の音声再生を停止するようにしたので、ユーザは、通話録音内容に対応した回線ボタン群１２の回線ボタン１２Ａを使用して音声再生停止の制御動作を実行することができるため、通話録音内容の音声再生停止に関わる操作負担を大幅に軽減することができる。
【０１３０】
また、ボタン制御処理によれば、通話録音制御モード中に削除ボタンに相当する回線ボタン１２Ａのボタン操作を検出すると、この回線ボタン１２Ａの回線ボタン群１２に対応する録音メモリ領域４１に録音済みの通話録音内容が保護設定済みでない場合は同通話録音内容を消去するようにしたので、ユーザは、通話録音内容に対応した回線ボタン群１２の回線ボタン１２Ａを使用して録音消去の制御動作を実行することができるため、通話録音内容の録音消去に関わる操作負担を大幅に軽減することができる。
【０１３１】
本実施の形態によれば、起動コマンドを検出すると、録音済みの通話録音内容毎に回線ボタン群１２を対応付けて、この回線ボタン群１２に収容する回線ボタン１２Ａ毎に同通話録音内容に関わる制御動作を指示するボタン内容を割当てると共に、回線ボタン群１２に対応付けた通話録音内容の識別情報を、この回線ボタン群１２に対応付けた回線名称表示部１３に画面表示させ、回線名称表示部１３による通話録音内容の識別情報の画面表示中に、この通話録音内容に対応付けた回線ボタン群１２の回線ボタン１２Ａのボタン操作を検出すると、この回線ボタン１２Ａに割当てたボタン内容に基づき、通話録音内容に関わる制御動作を実行するようにしたので、所望の通話録音内容が複数あったとしても、回線ボタン群１２に対応した回線名称表示部１３に表示中の通話録音内容の識別情報を目視することで録音済み通話録音内容を識別することができ、さらには、通話録音内容の指定操作を要することなく、同通話録音内容に対応した回線ボタン群１２の回線ボタン１２Ａを使用して所望の制御動作を実行することができるため、通話録音内容の制御動作に関わる操作負担を大幅に軽減することができる。
【０１３２】
また、本実施の形態によれば、例えば通常自動録音モード、タイマ自動録音モードやマニュアル録音モード等の所定タイミングに応じて相手先端末との通話内容を通話録音内容として録音メモリ領域４１に録音するようにしたので、従来のような一括集中管理型の外部録音装置に録音するのではなく、内蔵した通話録音メモリ部２９に録音することになるため、従来のような外部録音装置の管理者の許可を得なくても、自分の通話録音内容を簡単に受聴することができる。
【０１３３】
また、本実施の形態によれば、一般的に、通話開始直後は挨拶程度のあまり重要な話をしないといった慣習に着目し、タイマ自動録音モードを使用して、その通話開始から所定時間経過後に通話内容の録音を開始することで、通話内容を録音する録音メモリ領域４１のメモリ容量の節減を図ることができる。
【０１３４】
また、本実施の形態によれば、通話録音内容の識別情報として、この通話録音内容に関わる通話日時、通話相手先名称及び通話相手先電話番号の内、少なくとも何れか一の情報を、この通話録音内容に対応した回線名称表示部１３に表示するようにしたので、ユーザは、通話録音制御モード中に、回線名称表示部１３に表示中の識別情報を目視することで録音済みの通話録音内容を識別することができる。
【０１３５】
また、本実施の形態によれば、通話録音内容に対応した回線ボタン群１２に収容する回線ボタン１２Ａに通話録音内容に関わる制御動作を指示するボタン内容、例えば再生ボタン、停止ボタン、削除ボタンや保護設定ボタン等のボタン内容を割当てるようにしたので、同通話録音内容に対応した回線ボタン群１２の回線ボタン１２Ａを使用して所望の制御動作を実行することができるため、通話録音内容の制御動作に関わる操作負担を大幅に軽減することができる。
【０１３６】
また、本実施の形態によれば、入力パスワードが正式パスワードに合致した場合にのみ、通話録音内容に関わる制御動作を可能にした通話録音制御モードを起動する起動コマンドを出力するようにしたので、例えば第三者による通話録音制御モードの不正起動を防止してセキュリティの強化を図ることができる。
【０１３７】
尚、上記実施の形態においては、通話内容を通話録音内容としてＣＳＤＢ２内部の通話録音メモリ部２９に録音するようにしたが、通話録音メモリ部２９ではなく、従来のような外部録音装置に録音し、この外部録音装置に録音済みの通話録音内容と回線ボタン群１２と対応付け、この回線ボタン群１２に対応した回線名称表示部１３に同通話録音内容の識別情報を画面表示すると共に、この回線ボタン群１２の回線ボタン１２Ａを使用して同通話録音内容に関わる様々な制御動作を実行できるようにしても同様の効果が得られることは言うまでも無い。
【産業上の利用可能性】
【０１３８】
上記のように構成された本発明の通話端末装置によれば、所望の通話録音内容が複数あったとしても、回線ボタン群の各回線ボタンに対応した回線名称表示手段に画面表示中の通話録音内容の識別情報を目視することで録音済みの通話録音内容を識別することができ、さらには、通話録音内容の指定操作を要することなく、同通話録音内容に対応した回線ボタン群の回線ボタンを使用して所望の制御動作を実行することができ、その結果、通話録音内容の制御動作に関わる操作負担を大幅に軽減することができるため、例えば銀行や証券会社等の先物や現物取引に使用するディーリング通話台に有用である。
【図面の簡単な説明】
【０１３９】
【図１】本発明の通話端末装置に関わる実施の形態を示すディーリング通話システム内部の概略構成を示すブロック図である。
【図２】本実施の形態に関わるＣＳＤＢの盤面構成を示す説明図である。
【図３】本実施の形態に関わるＣＳＤＢの盤面要部である回線ボタン群及び回線名称表示部の対応関係を端的に示す説明図である。
【図４】本実施の形態に関わるＣＳＤＢ内部の概略構成を示すブロック図である。
【図５】本実施の形態に関わるＣＳＤＢ内部のボタン内容管理テーブルのテーブル内容を端的に示す説明図である。
【図６】本実施の形態に関わるＣＳＤＢ内部の表示内容管理テーブルのテーブル内容を端的に示す説明図である。
【図７】本実施の形態に関わるＣＳＤＢ内部の録音内容管理テーブルのテーブル内容を端的に示す説明図である。
【図８】本実施の形態に関わるＣＳＤＢの通話録音開始処理に関わる通話内容録音制御部の処理動作を示すフローチャートである。
【図９】本実施の形態に関わるＣＳＤＢの起動コマンド処理に関わる制御部の処理動作を示すフローチャートである。
【図１０】本実施の形態に関わるＣＳＤＢのパスワード入力に関わる盤面構成を示す説明図である。
【図１１】本実施の形態に関わるＣＳＤＢのモード設定処理に関わる制御部及び通話内容録音制御部の処理動作を示すフローチャートである。
【図１２】本実施の形態に関わるＣＳＤＢの通話録音制御モード時に関わる盤面構成を示す説明図である。
【図１３】本実施の形態に関わるＣＳＤＢのボタン制御処理に関わる通話内容録音制御部の処理動作を示すフローチャートである。
【図１４】本実施の形態に関わるＣＳＤＢのボタン制御処理に関わる処理動作を示すフローチャートである。
【図１５】本実施の形態に関わるＣＳＤＢのボタン制御処理に関わる処理動作を示すフローチャートである。
【符号の説明】
【０１４０】
２  ディーリング通話台（ＣＳＤＢ：通話端末装置）
１１  操作部（パスワード入力部）
１２  回線ボタン
１２Ａ  回線ボタン群
１３  回線名称表示部（回線名称表示手段）
２５  ボタン制御部（ボタン制御手段）
２６  画面表示制御部（画面表示制御手段）
２８  通話制御部（通話制御手段）
２９  通話録音メモリ部（通話録音手段）
３０  通話内容録音制御部（ボタン制御手段、画面表示制御手段及び通話録音手段）
３２Ｂ  コマンド出力部（コマンド出力手段）
５４  パスワード格納部（パスワード格納手段）
【図１】
2008135809.tif 000003
【図２】
2008135809.tif 000004
【図３】
2008135809.tif 000005
【図４】
2008135809.tif 000006
【図５】
2008135809.tif 000007
【図６】
2008135809.tif 000008
【図７】
2008135809.tif 000009
【図８】
2008135809.tif 000010
【図９】
2008135809.tif 000011
【図１０】
2008135809.tif 000012
【図１１】
2008135809.tif 000013
【図１２】
2008135809.tif 000014
【図１３】
2008135809.tif 000015
【図１４】
2008135809.tif 000016
【図１５】
2008135809.tif 000017